【事件の表示】
　特許第３３５０７５６号「電子スチルカメラ」の請求項１に係る特許に対する特許異議の申立てについて、次のとおり決定する。
【結　論】
　訂正を認める。
　特許第３３５０７５６号の請求項１に係る特許を維持する。
【理　由】
１．手続の経緯
　特許第３３５０７５６号の請求項１に係る発明についての出願は、平成２年７月１０日に出願した特願平２−１８０４８６号の一部を平成１３年１１月５日に新たな特許出願としたものであって、平成１４年９月２０日にその発明について特許権の設定登録がされ、その後、特許異議申立人戸叶孝一により特許異議の申立てがなされ、取消しの理由が通知され、その指定期間内である平成１６年４月５日に訂正請求がなされたものである。
　
２．訂正の適否についての判断
（１）訂正の内容
　特許権者が求めている訂正内容は、以下のアないしオのとおりである。
ア．特許請求の範囲の請求項１の「該書込み手段による画像データの書込み完了後に」を「前記画像データの書き込み中に異常が発生せずに、前記書込み手段による画像データの書込みを完了した場合には」に訂正する。
イ．特許請求の範囲の請求項１において「前記画像データの書き込み中に異常が発生した場合には、前記管理用データの書き換えを行わないようにする手段」を追加する。
ウ．発明の詳細な説明の７段落における（ｆ）の箇所を「（ｆ）前記画像データの書き込み中に異常が発生せずに、前記書込み手段による画像データの書込みを完了した場合には、前記バッファメモリに記憶されたデータに基づいて前記指定された未記録クラスタを記録済クラスタとして前記管理用データを書換える手段」に訂正する。
エ．発明の詳細な説明中の７段落において、新たに「（ｇ）前記画像データの書き込み中に異常が発生した場合には、前記管理用データの書き換えを行わないようにする手段」を追加する。
オ．発明の詳細な説明の３８段落において「Ｓ５の部分が前記ｄの手段に相当し、」および「Ｓ８に対する段落番号（００３６）の記載が前記ｇの手段に相当し、」を追加する。
　
（２）訂正の目的の適否、新規事項の有無及び特許請求の範囲の実質的拡張・変更の存否
　上記ア、イの訂正事項は、特許請求の範囲の減縮を目的とした明細書の訂正に該当し、上記ウ、エおよびオの訂正事項は、上記ア、イの訂正事項に付随的に生じる記載の不備を解消するものであって、明りょうでない記載の釈明を目的とした明細書の訂正に該当し、いずれも新規事項の追加に該当せず、実質上特許請求の範囲を拡張し、または変更するものではない。
　
（３）むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書及び第２項の規定に適合するので、当該訂正を認める。
　
３．特許異議の申立ての概要
　特許異議申立人戸叶孝一は、甲第１号証（特開平３−２６５２８７号公報）を提出し、本件請求項１に係る発明の特許は、特許法第２９条の２の規定に違反してなされたものであり、本件請求項１に係る発明の特許は取り消されるべきものである旨、主張している。
　
４．特許異議の申立てについての判断
（１）本件発明
　上記のとおり、平成１６年４月５日付けの訂正請求は容認されるので、本件の請求項１に係る発明は、それぞれ、訂正明細書の特許請求の範囲の請求項１に記載された事項によって特定される次のとおりのものである。
「【請求項１】メモリカード上に画像データエリアと管理用データエリアとを持ち、管理用データエリアに記録された管理用データに基づいて、画像データエリアをクラスタ単位で管理して画像データを記録する電子スチルカメラであって、
画像データ記録に先立って管理用データエリアにアクセスして管理用データを読出す手段と、
該読出された管理用データに基づいて画像データエリア内の記録済クラスタと未記録クラスタを確認する手段と、
該確認に基づいて画像データを記録する画像データエリア内の未記録クラスタを指定する手段と、
該指定された未記録クラスタに関するデータを一時的に記憶するバッファメモリと、
前記指定された未記録クラスタにアクセスして画像データを書込む手段と、
前記画像データの書き込み中に異常が発生せずに、前記書込み手段による画像データの書込みを完了した場合には、前記バッファメモリに記憶されたデータに基づいて前記指定された未記録クラスタを記録済クラスタとして前記管理用データを書換える手段と、
前記画像データの書き込み中に異常が発生した場合には、前記管理用データの書き換えを行わないようにする手段と、
を備えたことを特徴とする電子スチルカメラ。」
　
（２）先願
　当審が平成１６年１月２６日付けで通知した取消しの理由において引用した特願平２−６２５３６号（特開平３−２６５２８７号公報）（異議申立人の提示した甲第１号証）の明細書（以下、「先願明細書」という。）には、次のような事項が記載されている。
（ａ）「この発明は、撮影した被写体の光学像をデジタルデータに変換して半導体メモリに記憶する電子スチルカメラ装置に係り、特にその半導体メモリの空き要領を容易に検索し得るようにしたものに関する。」（公報の１頁右下欄４〜８行）
（ｂ）「ここで、第１図は、メモリカード１２に搭載された複数の半導体メモリ３８によって構成されるメモリエリアを説明するためのメモリマップを示している。すなわち、半導体メモリ３８の記憶領域は、メモリカード１２自体が固有に持つデータが記録されるカードヘッダ領域４５と、各静止画像データが記録されているクラスタのスタートクラスタ番号が格納されるディレクトリ領域４６と、各静止画像データが記録されているクラスタの接続情報、つまり、次に連なるクラスタ番号（各静止画像データの最終クラスタである場合はＦＦｈ）が格納されているＭＡＴ領域４７と、各静止画像データが実際に記録されている、つまり、複数のクラスタに分割されたデータ領域４８との４つの領域に大別される。」（公報の４頁左下欄５〜１９行）
（ｃ）「このようにして、ＣＰＵ２２は、静止画像データを全て書き込むことができる数の空きクラスタを確保し、各空きクラスタのスタートアドレスとエンドアドレスとをそれぞれ求める。」（公報の５頁右上欄１１〜１５行）
（ｄ）「以上のようにして、半導体メモリ３８への静止画像データの記録が終了すると、ＣＰＵ２２から新たなカードヘッダ領域４５の信号が、メモリ３２及びＩ／Ｏ制御回路３０，４１を介して半導体メモリ３８に供給され、カードヘッダ領域４５の内容が更新される。また、このとき、書き込んだ静止画像データの対応するスタートクラスタ番号や、クラスタの接続情報も、ＣＰＵ２２から半導体メモリ３８に送出され、ディレクトリ領域４６及びＭＡＴ領域４７の内容が更新される。その後、ＣＰＵ２２は、タイミング信号発生回路３５に対して、半導体メモリ３８に対する一連の書き込み動作を停止させる信号を発生し、ここに、静止画像データの半導体メモリ３８への書き込み動作が終了される。」（公報の５頁左下欄２０行〜右下欄１４行）
  
（３）対比・判断
  先願明細書には、訂正明細書の請求項１に係る発明（以下、「本願発明」という。）における下記の主要な事項（Ａ）が記載されておらず、また、当該事項を示唆する記載もなされていない。
（Ａ）画像データの書き込み中に異常が発生した場合には、管理用データの書き換えを行わないようにする手段を有すること。
  すなわち、先願明細書には正常時であるところの「半導体メモリへの静止画像データの記録が終了すると、カードヘッダ領域等の内容が更新される」旨の記載しかなく、画像データの書き込み中に異常が発生した場合についての記載は全く存在しない。
  そして、本願発明は、上記主要な事項（Ａ）を備えることにより、「記録しようとしたクラスタを少なくとも次に他の記録に用いることができ、メモリが無駄に消費されることを防止することができる」（【発明の効果】の欄）という作用効果を奏するものである。
  したがって、本願発明は、先願明細書に記載された発明と同一であるとすることはできない。
  
（４）むすび
  以上のとおりであるから、特許異議申し立ての理由および証拠によっては、本件請求項１に係る発明の特許を取り消すことができない。
  また、他に本件請求項１に係る発明の特許を取り消すべき理由を発見しない。
  よって、結論のとおり決定する。
【異議決定日】
平成１６年４月２３日（２００４．４．２３）
【訂正の要旨】
審決（決定）の【理由】欄参照。
（５４）【発明の名称】
電子スチルカメラ
（５７）【特許請求の範囲】
　【請求項１】　メモリカード上に画像データエリアと管理用データエリアとを持ち、管理用データエリアに記録された管理用データに基づいて、画像データエリアをクラスタ単位で管理して画像データを記録する電子スチルカメラであって、画像データ記録に先立って管理用データエリアにアクセスして管理用データを読出す手段と、
該読出された管理用データに基づいて画像データエリア内の記録済クラスタと未記録クラスタを確認する手段と、
該確認に基づいて画像データを記録する画像データエリア内の未記録クラスタを指定する手段と、
該指定された未記録クラスタに関するデータを一時的に記憶するバッファメモリと、
前記指定された未記録クラスタにアクセスして画像データを書込む手段と、
前記画像データの書き込み中に異常が発生せずに、前記
を
した場合には
前記画像データの書き込み中に異常が発生した場合には、前記管理用データの書き換えを行わないようにする手段と、
を備えたことを特徴とする電子スチルカメラ。
【発明の詳細な説明】
　【０００１】
　【産業上の利用分野】本発明は、電子スチルカメラに関する。
　【０００２】
　【従来の技術】従来、デジタル電子スチルカメラ等の画像記録装置においては、メモリカード等のメモリに画像データを記録する際、メモリ上に画像データエリアと管理用データエリアとを持ち、画像データエリアをクラスタ単位で扱い、その管理（記録済みクラスタと未記録クラスタの管理等）を管理用データエリアに記録された管理用データに基づいて行っている（特願平１−１８２５１６号参照）。
　【０００３】すなわち、画像記録に際しては、管理用データに基づいて記録済みクラスタと未記録クラスタを確認して、記録する未記録クラスタを指定し、ここに画像データを書込んでいる。
　【０００４】
　【発明が解決しようとする課題】しかしながら、従来においては、画像記録に際し、管理用データを書換えてから、実際の画像データを指定されたクラスタに書込んでいるため、画像データの書込み中に異常が発生した場合、画像データの書込みを予定していたクラスタは管理用データで見る限りは記録済みとなっているので、そのクラスタを他の記録に用いることはできないが、そのクラスタは正常に記録されているわけでもないので、全く無駄に消費されたことになってしまうという問題点があった。
　【０００５】本発明は、このような実情に鑑み、記録の途中で異常が発生した場合に、その記録が正常に完了しないことは仕方がないとしても、メモリ容量を無駄に消費することがないようにすることを目的とする。
　【０００６】
　【課題を解決するための手段】このため、本発明は、メモリカード上に画像データエリアと管理用データエリアとを持ち、管理用データエリアに記録された管理用データに基づいて、画像データエリアをクラスタ単位で管理して画像データを記録する電子スチルカメラであって、下記ａ〜
ｇ
　【０００７】
（ａ）画像データ記録に先立って管理用データエリアにアクセスして管理用データを読出す手段
（ｂ）該読出された管理用データに基づいて画像データエリア内の記録済クラスタと未記録クラスタを確認する手段
（ｃ）該確認に基づいて画像データを記録する画像データエリア内の未記録クラスタを指定する手段
（ｄ）該指定されたクラスタに関するデータを一時的に記憶するバッファメモリ
（ｅ）前記指定された未記録クラスタにアクセスして画像データを書込む手段
（ｆ）
前記画像データの書き込み中に異常が発生せずに、前記
を
した場合には
（ｇ）前記画像データの書き込み中に異常が発生した場合には、前記管理用データの書き換えを行わないようにする手段
　【作用】メモリは画像データエリアと管理用データエリアとに分かれていて、画像データエリアはクラスタ単位で管理される。そして、管理用データエリアにはこのクラスタの管理のためのデータが書込まれる。
　【０００８】画像記録の際には、先ず管理用データエリアをアクセスして管理用データを読出す。
　【０００９】次いで、読出された管理用データに基づいて記録すべき画像データエリアのクラスタが指定されると、そのクラスタをアクセスし、またメモリへの入力を画像データに切替えて、画像データを書込み、記録する。
　【００１０】画像データを完全に記録し終わると、管理用データエリアをアクセスし、またメモリへの入力を記録した画像データに関する管理用データに切替えて、管理用データを書換える。この動作が終わると、画像記録の１単位のシーケンスが完了する。
　【００１１】そして万一、画像データの書込み中に異常があった場合でも、記録しようとしていたクラスタを次の画像データ記録時に用いることができる。
　【００１２】
　【実施例】以下に本発明の実施例を図面に基づいて説明する。
　【００１３】第１図において、１は画像記録の全体の制御を行うＣＰＵであり、これにより前記ａ，ｂ，ｃ，ｅ，ｆ
，ｇ
　【００１４】２は画像記録用のメモリであり、管理用データエリア２−１と画像データエリア２−２とに分かれていて、画像データエリア２−２はクラスタ単位で管理される。管理用データエリア２−１にはこのクラスタの管理のためのデータが書込まれる。
　【００１５】このメモリ２にアクセスする手段として、管理用データエリア２−１のアドレス信号を発生する管理用データエリアアクセス手段３と、画像データエリア２−２のアドレス信号を発生する画像データエリアアクセス手段４とがある。
　【００１６】５は管理用データ・バッファメモリであり、管理用データを一時的に蓄える。
　【００１７】６は画像データ出力装置であり、画像メモリ，ＶＴＲ，固体撮像素子等、外部より取込んだ画像信号を画像データとしてシリアルに出力するものであればよい。
　【００１８】７はデータバスであり、ＣＰＵ１，メモリ２，管理用データ・バッファメモリ５及び画像データ出力装置６はこれによってつながっている。
　【００１９】但し、管理用データ・バッファメモリ５及び画像データ出力装置６は、切替スイッチ８を介してデータバス７につながっている。この切替スイッチ８は、データバス７への出力（メモリ２への入力）を管理用データと画像データとに切替える手段をなすものであり、管理用データエリアアクセス手段３が動作している間は管理用データ・バッファメモリ５側に切替えられ、停止している間は画像データ出力装置６側に切替えられるようにコントロールされる。
　【００２０】次に画像記録の手順について説明する。
　【００２１】ＣＰＵ１は、先ず、管理用データエリアアクセス手段３を動作させて管理用データエリア２−１をアクセスし、該エリア２−１より管理用データをデータバス７を通じて読出す。これにより、ＣＰＵ１は、未記録クラスタを知ることができるので、画像データエリアアクセス手段４に画像データエリア２−２上のどのクラスタに記録を行うかの指示ができる。
　【００２２】従って、ＣＰＵ１は、画像データエリアアクセス手段４に記録すべき画像データエリア２−２上のクラスタを指示すると同時に、バッファメモリ５にそのクラスタを記憶させる。
　【００２３】ＣＰＵ１が画像データエリアアクセス手段４をスタートさせると、該アクセス手段４は指示されたクラスタに順にアクセスしていく。このとき、管理用データエリアアクセス手段５は動作していないので、切替スイッチ８は画像データ出力装置６側になっており、画像データがデータバス７からメモリ２に入力され、画像データエリア２−２上に書込まれる。
　【００２４】画像データエリアアクセス手段４が動作を完了すると、スタート信号を発して、管理用データエリアアクセス手段３をスタートさせる。管理用データエリアアクセス手段３は管理用データエリア２−１をアクセスし、先にバッファメモリ５に記憶させたクラスタに関するデータを書込んで、管理用データを書換える。
　【００２５】次にデジタル電子スチルカメラへの適用例について第２図及び第３図により説明する。
　【００２６】第２図において、第１図と対応する要素には同一符号を付してあり、メモリ２として半導体メモリであるメモリカードが用いられ、画像データ出力装置６の部分が具体化されている。
　【００２７】画像データ出力装置６の部分につき説明すれば、レンズ１１によって被写体の像がＣＣＤ１２上に結像する。これはＣＰＵ１によってコントロールされる駆動回路１３によって駆動され、光画像電気信号を電気信号に変換する。この出力信号はプロセス回路１４によって規格に合わせた信号に形成され、Ａ／Ｄ変換器１５によってデジタル画像データに変換される。尚、記録の前にデータ圧縮の処理が入ることもあるが、本発明ではこれの有る無しは関係ないので特に触れない。
　【００２８】
　また、ＣＣＤ１２以外に光センサ１６が配置され、その信号をＡ／Ｄ変換器１７を介してＣＰＵ１に入力することにより、画面全体の明るさを測定し、シャッター速度を決めるようになっている。シャッター速度はＣＣＤ１２の駆動回路１３を介して制御され、いわゆる電子シャッターとなっている。
　【００２９】第３図はこのデジタル電子スチルカメラにおける画像記録の流れをフローチャートにまとめたものであり、以下これに沿って説明する。
　【００３０】電源が入ったら、ＣＰＵ１が先ず最初にメモリカード２の管理用データエリアにアクセスし（Ｓ１）、未記録エリアの容量は１枚の画像を記録するのに十分であるか否かの判定を行う（Ｓ２）。不足であれば、ＬＥＤ，ブザー等による残量不足の警告を発し（Ｓ３）、それ以降はレリーズスイッチが押されても撮影動作は行わない。メモリカードが交換されたらこのフローの先頭に戻る。
　【００３１】残量が十分の場合は、画像を記録すべきクラスタを画像データエリアアクセス手段４に知らせる（Ｓ４）。このとき同時に、そのクラスタをバッファメモリ５に書込み、また、それらに関するデータを記録する管理用データエリア上のアドレスを管理用データエリアアクセス手段３に知らせる。この上で、レリーズスイッチが押されるのを待つ（Ｓ５）。
　【００３２】レリーズスイッチが押されずにパワースイッチがＯＦＦになった場合は、カメラ全体の電源をダウンさせるが（Ｓ６）、パワースイッチがＯＮの間はレリーズスイッチを待ち続ける。
　【００３３】レリーズスイッチが押されたら、ＣＰＵ１は画像データエリアアクセス手段４にスタートをかけ、画像データの記録を開始する（Ｓ７）。このとき、画像データエリアアクセス手段４は指示されたクラスタに順にアクセスし、データバスには画像データ出力装置６（Ａ／Ｄ変換器１５）からの画像データが入力され、これが切替スイッチ８を介してメモリカード２に書込まれる。
　【００３４】この動作の終了を確認すると（Ｓ８）、管理用データを書換える。すなわち、画像データエリアアクセス手段４が管理用データエリアアクセス手段３にスタートをかける。すると、管理用データエリアアクセス手段３が、切換スイッチ８をバッファメモリ５側に切替えた上で、管理用データエリア上の指定されたアドレスに順にアクセスし、バッファメモリ５からの管理用データを書込んでいく（Ｓ９）。
　【００３５】この後は、ＣＰＵ１が管理用データエリアアクセス手段３の動作が終了したか否かを管理用データエリアアクセス手段４とのやり取りで検知し、終了したら、記録後の容量が更に画像を記録するのに足りるか否かを判断し（Ｓ１０）、不足の場合は警告に、十分の場合は次の撮影の準備に分岐する。
　【００３６】以上は正常に動作した場合のフローであるが、画像の記録の途中で異常が発生した場合は、Ｓ８のループを回っている時に割込みが発生し、異常に対する処理を行うルーチンへ飛ぶことになる。従って、Ｓ９が実行される前であるから、管理用データの書換えは行われないことになる。
　【００３７】尚、これまでの説明では、分かり易いように、各機能をブロックにして示したので、第３図のフローチャートは、ＣＰＵ１の動作だけでなく、管理用データエリアアクセス手段３や画像データエリアアクセス手段４の動作やそれらのやり取りも含んでいるが、実際には第１図の管理用データエリアアクセス手段３，画像データエリアアクセス手段４，バッファメモリ５及び切替スイッチ８の機能はＣＰＵ１が持ち、プログラムによってそれらの機能を実現することが多いので、このフローチャートはＣＰＵのプログラムの流れのみを意味することになる。
　【００３８】ここにおいて、Ｓ１の部分が前記ａの手段に相当し、Ｓ４の部分が前記ｃの手段に相当し、
Ｓ５の部分が前記ｄの手段に相当し、
Ｓ８に対する段落番号（００３６）の記載が前記ｇの手段に相当し、
　【００３９】
　【発明の効果】以上説明したように本発明によれば、画像記録を行うに際し、画像データを完全に記録し終わってから、該画像データに関する管理用データを書換えるようにし、記録の途中で異常が発生した場合には、管理用データについては書換えがなされないようにしたので、記録しようとしたクラスタを少なくとも次に他の記録に用いることができ、メモリが無駄に消費されることを防止することができるという効果が得られる。また、画像データをメモリカードに書込む際には、通常複数回に分けて書込みを行うので、この際、毎回管理用データを読込むためにメモリカードにアクセスしていると時間がかかってしまうが、本発明のようにバッファメモリに一旦管理用データを記憶する構成とすれば、毎回メモリカードにアクセスする必要がなく、画像データ書込み処理の高速化が図れるという効果が得られる。
【図面の簡単な説明】
　【図１】第１図は本発明の一実施例を示す画像記録装置のシステム構成図、
　【図２】第２図はデジタル電子スチルカメラへの適用例のシステム構成図、
　【図３】第３図は同上適用例における画像記録の流れを示すフローチャートである。
　【符号の説明】
　１…ＣＰＵ
　２…メモリ（メモリカード）
　２−１…管理用データエリア
　２−２…画像データエリア
　３…管理用データエリアアクセス手段
　４…画像データエリアアクセス手段
　５…管理用データ・バッファメモリ
　６…画像データ出力装置
　８…切換スイッチ